(57)【要約】      （修正有）【課題】椀（容器）の被せ蓋の内面に付着した水滴を椀（容器）中に落下させ、水滴の浸入による蓋外周縁のシールドを防止する食器蓋の内面構造を提供する。【解決手段】中央部に持ち手となる円筒形の隆起部を形成した円形の食器蓋であって、該食器蓋１の内面中央部３に円筒形の空間部４を形成し、この空間部４の外縁に近接して同心円状の凹状の段部５を形成すると共に、該段部５から緩やかな円弧を描いて外縁に向って下降する内面壁６を延設し、該内面壁６から外縁７に至る近傍に凸状の畝８を同心円状に形成し、外縁７は傾斜部９ａを介して略垂直な縁９を延設した。【選択図】図１
0003194385.tif 000002
【実用新案登録請求の範囲】
【請求項１】
中央部に持ち手となる円筒形の隆起部２を形成した円形の食器蓋であって、該食器蓋１の内面中央部２に円筒形の隆起部と同心円状の空間部４を形成し、この空間部４の外縁に近接して同心円状の凹状の段部５を形成すると共に、該段部５から緩やかな円弧を描いて外縁７に向って下降する内面壁６を延設し、該内面壁６から外縁７に至る近傍に凸状の畝８を同心円状に形成し、外縁７は略垂直な縁９を延設したことを特徴とする食器蓋の内面構造。
【請求項２】
前記凸状の畝８の外縁７寄りであって略垂直な縁９との間の傾斜部９ａを容器１０と食器蓋１とが接合する嵌合部とした請求項１に記載の食器蓋の内面構造。
【考案の詳細な説明】
【技術分野】
【０００１】
本考案は椀又は容器に被せて使用される食器蓋の内面構造に関する。
【背景技術】
【０００２】
一般に味噌汁、吸い物、お茶等の熱い液体や椀に入れた暖かい調理品には衛生上、若しくは内容物の保温の目的から食器蓋（被せ蓋）を被せて供されるが、飲食時に蓋が椀や容器（以下、単に容器という。）に密着して取りにくくなる場合がある。これは、容器の内容物の熱気により蓋の内面に湯気による水滴が付着し、この水滴が隣接する水滴を取り込んで膨張して水滴の大きな塊を形成し、蓋が容器と接触する嵌合部に入り込んで水によるシールドを形成するためである。しかも、蓋が被された容器の中は徐々に温度が低下することで気圧が外気より低くなり余計に蓋がとり難い原因となっている。
【０００３】
また、病院や養護施設などの厨房では料理品をトレーに載置してから所要経路を経てこれを食する各人までの搬送にかなりの時間を要するため、配送された蓋付き椀などは被せ蓋が椀の外周縁にしっかり密着し、蓋を容易に取りにくく、無理に蓋を取り除こうとするとき椀の中身をこぼしてしまうこともあるなどの不具合が指摘されている。
【考案の概要】
【考案が解決しようとする課題】
【０００４】
本考案者は蓋の内面に水滴が生じる状態を観察することにより、水滴の付きにくい食器蓋の構造を研究してきた。その結果、蓋の内面に水滴がつきやすい構造は、図５に示すように単に内面が段差のないプレーンな円弧状壁面を呈する場合が内面全域に生じた水滴が円弧状の壁面に沿って流下し、次々に隣接する下流側の水滴を包み込んで膨張しながら水滴の塊を形成して容器との嵌合部に入り込み、この水により嵌合部が密着されることが判明した。
【０００５】
そこで、蓋の内面に付着した最初は小さな水滴が膨張し結合し合う前に容器内に落下させ、水滴の塊の形成を極力抑えると共に、水滴の塊が蓋内面の外周縁に向って移動する量を減少させることで蓋と容器との嵌合部の密着を防止することのできる食器蓋の内面構造を提案するものである。
【課題を解決するための手段】
【０００６】
上記目的を達成するため、本考案では中央部に持ち手となる円筒形の隆起部を形成した円形の食器蓋であって、該食器蓋の内面中央部に円筒形の空間部を形成し、この空間部の外縁に近接して同心円状の凹状の段部を形成すると共に、該段部から緩やかな円弧で外縁に向って下降する内面壁を延設し、該内面壁の外縁に至る近傍に凸状の畝を同心円状に形成し、外縁は傾斜部を介して略垂直な縁を延設した。また、凸状の畝の外縁寄りであって略垂直な縁との間の傾斜部を容器と食器蓋とが接合する嵌合部とした。
【考案の効果】
【０００７】
本考案によれば、食器蓋の内面中央部の空間部の外側に段差を設け、外縁近傍に凸状の畝を設けたことにより、食器蓋の内面に生じた多数の水滴同士の結合を分離し、且つ凸状の畝で水滴同士の結合の塊を容器内に落下させることで水滴の塊が外周縁に移動する量を減少させ、容器と蓋の嵌合部での水による密着を防ぐことができる。
【図面の簡単な説明】
【０００８】
【図１】本考案の実施例を示す食器蓋の断面図である。
【図２】同食器蓋を椀に被せた断面図で、蓋内の水滴の付着、付着した水滴同士の結合・膨張した流れの状態をしめす。
【図３】同凹段部と畝部分の拡大断面図である。
【図４】本考案の食器蓋の内面に水滴が付着し、これが結合膨張して行く状態の平面説明図である。
【図５】従来の一般的な食器蓋の内面を示す断面図で、水滴の付着、移動の状態を示す。
【図６】内面がプレーンな円弧状を呈する従来の食器蓋の水滴の付着状態を示す写真で、熱湯を入れた容器に蓋を被せ、１０分経過した時点で蓋をはずして撮影したものである。
【図７】本考案の食器蓋の水滴の付着状態を示す写真で、熱湯を入れた容器に蓋を被せ、１０分経過した時点で蓋をはずして撮影したものである。
【考案を実施するための形態】
【０００９】
以下、本考案を図示する実施形態により具体的に説明する。
図１は、本考案の食器蓋の断面を示しており、図２は本考案の食器蓋が椀（容器）に被せられた状態の断面を示している。食器蓋１は上部中央に持ち手となる円筒形の隆起部２を形成した円形蓋であり、隆起部２の内面中央部３に円筒形の空間部４が形成され、該空間部４の外縁４ａに同心円状の凹状の段部５が設けられており（図３）、該段部５から緩やかな円弧で外縁７に向って下降する内面壁６が延設され、該内面壁６の外縁７に至る近傍に凸状の畝８を同心円状に形成し外縁７は略垂直な縁９を形成している。該略垂直な縁９と凸状の畝８の間の傾斜部９ａが容器１０と食器蓋１が接合する嵌合部となっている。
【００１０】
凸状の畝８は、角を持たない頂部Ａを備え、その片側は食器蓋１の内面壁６に弧状のスロープ６ａを形成して接している。さらに畝８の他側は外縁７の垂直な縁９に連なる傾斜部９ａに弧状のスロープ６ｂを形成して接している。図４では凸状の畝を明示するため、畝８の頂部Ａ、食器蓋１の内面壁６に接する部分及び畝８の他側で傾斜部９ａに接する部分を敢えて実線で表示している。
【００１１】
実施例の食器蓋はメラミン樹脂の成型品であるが、その他の樹脂であっても陶器・磁器であっても材質には拘束されない。
【００１２】
一般的に、容器に熱い調理品や汁等が入れられ、被せ蓋が被せられると時間経過により容器内の湯気が蓋内面に付着し外部との温度差により結露が始まる。この結露は、始めは小粒の多数の水滴として発生し、その後水滴同士がくっ付き合い膨張し水滴の塊を形成するが、この塊が容器内に落下せずに表面張力により内面壁に沿って流下し、移動して蓋と容器が接合する嵌合部に入り込むことで水によるシールドを形成する。
【００１３】
本考案の食器蓋によれば、蓋の内面中央部２に円筒形の空間部４を形成し、この空間部４の外縁に近接して同心円状の凹状の段部５を形成しているため、図２、図４に示すように容器１内の中央部分で発生した水滴Ｘは円筒形の空間部４内ではくっ付きあっても空間部４の壁面が円筒形であるため、下方に流下し水滴の塊Ｙ１として膨張し自重により容器１０内に落下する。落下しきれない塊は、空間部４の外縁４ａに近接して形成された同心円状の凹状の段部５に流下し、この段部５が内面壁６と接する角を持たないコーナー部５ａから容器内に落下する。
【００１４】
さらに、内面壁６に付着した水滴Ｘは緩やかな円弧で下降する内面壁６の表面に沿って流下しながら膨張して水滴の塊Ｙ２となって流下するが、外縁７との間に突設された凸状の畝８により外縁７への流下を阻まれ、畝８の隆起する頂部Ａから容器内に落下する。従って、凸状の畝８に至った水滴の塊Ｙ２は畝８を越えて容器１０と食器蓋１の接合する嵌合部には入り込まず、かくして嵌合部での水によるシールドを防ぐことができる。
【００１５】
これに対し、図５に示す従来の内面２１がプレーンな円弧状２２を呈する食器蓋２０にあっては、水滴Ｘは内面壁に付着し、徐々に円弧状の内面２１に沿って流下し、水滴Ｘ同士がくっ付きあって膨張し、水滴の塊Ｙ３を形成する。この水滴の塊Ｙ３が容器２３の食器蓋２０と接合する嵌合部２４に入り込み、シールドすることで食器蓋２０が取りはずしにくくなってしまう。
【００１６】
図６の写真は熱湯を入れた容器に、従来の内面がプレーンな円弧状を呈する食器蓋を被せ、１０分経過した時点で蓋を外し内面に水滴が付着した状態を撮影したものである。又、図７の写真は熱湯を入れた容器に、本考案の食器蓋を被せ、１０分経過した時点で蓋を外し内面に水滴が付着した状態を撮影したものである。図６の写真と図７の写真を比較すると明らかに両者の蓋の内面の水滴の付着状態が異なることが判明する。
【００１７】
本考案は以上のように構成されるため、食器蓋１の内面壁６に付着した水滴は、円筒状の空間部４とこの空間部４に近接する同心円状の凹状の段部５、さらに外縁７との間に形成された同心円状の凸状の畝８により区切られて水滴が付着する表面積が限定されることで水滴の膨張を抑制し得、例え水滴が膨張したとしても水滴の塊を下面の容器内に落下させることで容器と食器蓋が接合する嵌合部への水滴の浸入を効果的に防止している。
【００１８】
さらに、本考案の食器蓋の内面に形成された空間部４とこれに近接する同心円状の凹状の段部５、この段部５に続く内面壁６及び同心円状の凸状の畝８はいずれも角を持たない曲面で形成されているため、食器蓋の内面への汚れの付着を防止し得、更には食器蓋の洗浄時にも邪魔とならない。
【符号の説明】
【００１９】
１    食器蓋
２    円筒形の隆起部
３    内面中央部
４    空間部
４ａ  空間部の外縁
５    凹状の段部
６    内面壁
６ａ、６ｂ  弧状のスロープ
７    外縁
８    凸状の畝
９    垂直な縁
９ａ  傾斜部
１０  椀
Ａ    畝の頂部
【図１】
0003194385.tif 000003
【図２】
0003194385.tif 000004
【図３】
0003194385.tif 000005
【図４】
0003194385.tif 000006
【図５】
0003194385.tif 000007
【図６】
0003194385.tif 000008
【図７】
0003194385.tif 000009